(57)【要約】本発明による固定クリップは、支持体プレート（１２）の穴（１０）内に構成部分をアンカー固定する、特に自動車の屋根天井にハンドグリップを盲固定するために役立つ。クリップは、直角に外方に向かって張り出した当付けストリップ（４）を備えた、穴（１０）内に挿入可能なアンカー固定部分（１）と、別個の部分として形成されたねじ山付プレート（５）とから成っており、該ねじ山付プレート（５）はアンカー固定部分（１）の両側壁（２）の間で、保持器内に収容されているような形でかつ摺動可能に案内されている。両側壁（２）から、互いに対向して位置する拡開フラップ（６）が打抜かれており、該拡開フラップ（６）はアンカー固定部分（１）の側壁（２）から当付けストリップ（４）への移行部で当付けストリップ（４）に、折れ曲がって拡開可能な形で接続されている。拡開フラップ（６）はその自由端部に縁部ストリップ（７）を有しており、該縁部ストリップ（７）はねじ山付プレート（５）のための台架として保持器室内へと屈曲されていると共に、当付けストリップ（４）に対して斜めに方向付けられている。ねじ（１７）をねじ山付プレート（５）内に螺入した後、ねじ（１７）は構成部分の保持プレート（１４）に支持されている。ねじ（１７）を締め付けると、縁部ストリップ（７）は、下降するねじ山付プレート（５）によって、拡開フラップ（６）が穴縁部（２０）の背面に支持されるように外方へと押圧される。
2005504933.tif 000002
【特許請求の範囲】
【請求項１】
支持体プレート（１２）の穴（１０）内に構成部分をアンカー固定するための固定クリップであって、直角に外方に向かって張り出した当付けストリップ（４）を備えた、穴（１０）内に挿入可能なアンカー固定部分（１）と、ねじ山付プレート（５）に結合されていて互いに対向して位置する拡開フラップ（６）とが設けられており、該拡開フラップ（６）が、構成部分の保持プレート（１４）に支持されているねじ（１７）をねじ山付プレート（５）内に螺入することにより外方に拡開されて、それにより、拡開フラップ（６）が穴縁部（２０）の背面に支持されるようになる形式のものにおいて、ねじ山付プレート（５）が、別個の部分として形成されており、アンカー固定部分（１）の両側壁（２）の間で、保持器内に収容されているような形でかつ摺動可能に案内されており、拡開フラップ（６）がアンカー固定部分（１）の側壁（２）から打抜かれており、拡開フラップ（６）がアンカー固定部分（１）の側壁（２）から当付けストリップ（４）への移行部で当付けストリップ（４）に、折れ曲がって拡開可能な形で接続されている一方で、拡開フラップ（６）の自由端部には、その都度１つの縁部ストリップ（７）が、ねじ山付プレート（５）のための台架として保持器室内へと屈曲されていると共に、当付けストリップ（４）に対して斜めに方向付けられており、それにより、拡開フラップ（６）が、ねじ（１７）を締め付けると、下降するねじ山付プレート（５）のサイドエッジ（１９）によって、穴縁部（２０）に固定的に支持されるようになるまで外方に押圧されることを特徴とする、支持体プレートの穴内に構成部分をアンカー固定するための固定クリップ。
【請求項２】
ねじ山付プレート（５）に２つの側壁（８）が一体成形されており、該側壁（８）がアンカー固定部分（１１）の側壁（２）の間で摺動可能に案内されている、請求項１記載の固定クリップ。
【請求項３】
ねじ山付プレート（５）の側壁（８）が、アンカー固定部分（１）の側壁（２）に切欠かれた開放部の幅に対応して、外方に段付けされており、かつこの段付けされた壁部分（９）でもって、拡開フラップ（６）の上方の、側壁（２）の切欠かれた領域内に突入する、請求項２記載の固定クリップ。
【発明の詳細な説明】
【技術分野】
【０００１】
本発明は、支持体プレートの穴内に構成部分をアンカー固定するための、特に自動車の屋根天井にハンドグリップを盲固定するための固定クリップ（クランプ）に関する。
【０００２】
この種の固定クリップは例えばアメリカ合衆国特許第２１８４７８３号明細書から公知である。固定クリップは一般に、直角に外方に向かって張り出した当付けストリップを備えたアンカー固定部分と、ねじ山付プレートに結合されていて互いに対向して位置する拡開フラップとから成っており、該拡開フラップは構成部分に支持されているねじをねじ山付プレート内に螺入することによって外方に拡開され、それにより、拡開フラップが穴縁部の背面に支持されるようになっている。
【０００３】
自動車の屋根天井にハンドグリップを盲固定する際に重要であることは、ハンドグリップが固定クリップにより最初に成形天井に前組み立てされ、その後に成形天井と共に完体で自動車ボディの上側のクロスビームに組み込まれることができる点にある。このために、公知の固定クリップはそれ程良好に適している訳ではない。それというのは、公知の固定クリップは金属板の穴内に直接固定するためだけに構想されており、材料の点で柔らかな成形天井の穴内に前もって前組み立てするために構想されている訳ではないからである。さらに、ねじは、拡開フラップを穴縁部に支持されるようになるまで引き寄せるために、比較的に多く回されなければならず、このことは工員にハンドグリップの組立時に相応に多大な時間を費やさせる。
【０００４】
本発明の課題は、成形天井へのハンドグリップの前組立ならびに引き続いての、自動車ボディへの組立を、固定クリップの適当な変更によってより簡単に構成することである。このことは本発明により、請求項１の特徴部に記載された特徴に従って固定クリップを形成することにより達成される。その際、別個のねじ山付プレートと、拡開フラップの比較的に短い寸法とは、僅かにねじを回しただけで拡開フラップが側方に押圧され、かつその際に固定的に穴縁部の背面に支持されることを可能にする。
【０００５】
請求項２および３に記載したような、固定クリップの別の構成により、ねじ山付プレートをアンカー固定部分内に収容することが最適な形で解決され、とりわけ、ねじ山付プレートを側壁内で問題なくきれいに案内することが達成される。
【０００６】
以下に図面を参照しながら本発明の実施例について詳説する。
【０００７】
図面に示された固定クリップは支持体プレート１２の穴１０内に構成部分をアンカー固定するために役立つ。このクリップは実質的に、２つの側壁２、上側の直交壁３、および側壁の下側の端部で直角に外方に張り出した当付けストリップ４を備えた、Ｕ字形に形成されたアンカー固定部分１と、別個のねじ山付プレート５とから成っており、ねじ山付プレート５は、両側壁２と、側壁２の、互いに反対側の端部に位置する、つまり対角的に対向して位置する端部エッジにおいて内方に向かって屈曲された直交フラップ２１との間で、ちょうど檻状の保持器内に収容されるようになっていて、かつ摺動可能に案内されている。
【０００８】
互いに対向して位置する側壁２から拡開フラップ６が打抜かれており、拡開フラップ６は側壁２から当付けストリップ４への移行部において当付けストリップ４に、折れ曲がって拡開可能に接続されている。拡開フラップ６の自由端部において、その都度１つの縁部ストリップ７が、当付けストリップ４に対して傾いて保持器室内に向かって屈曲されており、縁部ストリップ７は、収容されたねじ山付プレート５のための台架として役立つ。
【０００９】
ねじ山付プレート５は無論中実のプレートとして構成されていることができる。しかし材料節減のために、比較的に薄いねじ山付プレート５の中央にねじ山付スリーブ１８が一体成形され、さらに２つの側壁８が直角に一体成形されていると有利であって、両側壁８はアンカー固定部分１の両側壁２の間で摺動可能に案内されている。この際に、ねじ山付プレート５の側壁８は、側壁２に切欠かれた開放部の幅に対応して、外方に向かって段付けされており、段付けされた壁部分９でもって、拡開フラップ６の上方で側壁２の、切欠かれた領域２２内に突入する。その結果、段付けされた壁部分９は切欠かれた領域２２内において両側壁２の間で摺動可能に案内されている。
【００１０】
図５および図６には、固定クリップを規定通り使用した場合の、例えばハンドグリップを自動車ボディの屋根天井にブラインド固定もしくは盲固定（Ｂｌｉｎｄｂｅｆｅｓｔｉｇｕｎｇ）する場合の組立経過が示されている。固定クリップは最初に図５において、成形天井（Ｆｏｒｍｈｉｍｍｅｌ）１１に設けられたほぼ長方形の穴１０ならびに屋根天井の支持体プレート１２に同様に成形された穴内に、成形天井１１に当付けストリップ４が当接するようになるまで導入され、その際に、側壁２において外方に向かって張り出した拡開フィンガ１３は固定クリップが支持体プレート１２の背面に位置決めされて留まるために役立つ。
【００１１】
屋根天井に固定したいハンドグリップからは保持プレート１４のみが示されており、保持プレート１４は、当付けストリップ４から直角に起立した４つの制限フラップ１５の間に埋設されている。保持プレート１４に穿設された穴１６を通して固定ねじ１７が案内され、固定ねじ１７はねじ山付プレート５のねじ山付スリーブ１８内に、ねじ山付プレート５が、その把持されたサイドエッジ１９でもってルーズに拡開フラップ６の縁部ストリップ７上に載着するまでねじ込まれる。拡開フィンガ１３により、固定クリップをハンドグリップの保持プレート１４および螺入されたねじ１７と共に最初に成形天井１１の長方形穴１０内に前組み立てして、組み立てし終えた後に初めて、支持体プレート１２に設けられた方形穴１０内に押し込むことも可能である。
【００１２】
図６でねじ１７は、ねじ山付プレート５により側方に押し遣られた縁部ストリップ７がねじ山付プレート５の両側壁８に支持されるようになるまで締め付けられており、その間に、拡開フラップ６はねじ山付プレート５の、把持されたサイドエッジ１９によって固定的に固定穴１０の穴縁部２０に対して押し当てられる。その際、成形天井１１の、若干軟らかい材料は同時に幾分押し潰される。
【００１３】
例えば壊れたハンドグリップを交換したい場合に、アンカー固定部分１は、ねじ１７を回し外して、保持プレート１４を取り外した後、支持体プレート１２の穴１０内に留まり、引き続いて別のハンドグリップを改めて螺設するために再使用されることができる。
【図面の簡単な説明】
【００１４】
【図１】アンカー固定部分とねじ山付プレートとから編成される固定クリップの正面図である。
【００１５】
【図２】固定クリップの側面図である。
【００１６】
【図３】図１に示した線ＩＩＩ−ＩＩＩに沿ってねじ山付プレートを断面した、固定クリップの平面図である。
【００１７】
【図４】組み合わされた固定クリップの斜視図である。
【００１８】
【図５】ねじ込まれた固定ねじを備えた、成形天井および支持体プレートに前組み立てされた固定クリップの組立図である。
【００１９】
【図６】固定ねじを締め付けて拡開フラップを拡開させた後の組立図である。
【符号の説明】
【００２０】
１  アンカー固定部分
２  側壁
３  直交壁
４  当付けストリップ
５  ねじ山付プレート
６  拡開フラップ
７  縁部ストリップ
８  側壁
９  段付けされた壁部分
１０  固定穴
１１  成形天井
１２  支持体プレート
１３  拡開フィンガ
１４  保持プレート
１５  制限フラップ
１６  穴
１７  固定ねじ
１８  ねじ山付スリーブ
１９  把持された側壁
２０  穴縁部
２１  直交フラップ
２２  切欠かれた領域
【国際公開パンフレット】
2005504933.tif 000003
2005504933.tif 000004
2005504933.tif 000005
2005504933.tif 000006
2005504933.tif 000007
2005504933.tif 000008
2005504933.tif 000009
2005504933.tif 000010
2005504933.tif 000011
2005504933.tif 000012
【国際公開パンフレット（コレクトバージョン）】
2005504933.tif 000013
2005504933.tif 000014
【手続補正書】
【提出日】平成15年5月31日(2003.5.31)
【手続補正１】
【補正対象書類名】特許請求の範囲
【補正対象項目名】請求項１
【補正方法】変更
【補正の内容】
【請求項１】
支持体プレート（１２）の穴（１０）内に構成部分をアンカー固定するための固定クリップであって、直角に外方に向かって張り出した当付けストリップ（４）を備えた、穴（１０）内に挿入可能なアンカー固定部分（１）と、ねじ山付プレート（５）に結合されていて互いに対向して位置する拡開フラップ（６）とが設けられており、該拡開フラップ（６）が、構成部分の保持プレート（１４）に支持されているねじ（１７）をねじ山付プレート（５）内に螺入することにより外方に拡開されて、それにより、拡開フラップ（６）が穴縁部（２０）の背面に支持されるようになっており、さらに、ねじ山付プレート（５）が、別個の部分として形成されており、アンカー固定部分（１）の両側壁（２）の間で、保持器内に収容されているような形でかつ摺動可能に案内されており、しかも、拡開フラップ（６）がアンカー固定部分（１）の側壁（２）から打抜かれている形式のものにおいて、拡開フラップ（６）がアンカー固定部分（１）の側壁（２）から当付けストリップ（４）への移行部で当付けストリップ（４）に、折れ曲がって拡開可能な形で接続されており、拡開フラップ（６）の自由端部には、その都度１つの縁部ストリップ（７）が、ねじ山付プレート（５）のための台架として保持器室内へと屈曲されていると共に、当付けストリップ（４）に対して斜めに方向付けられており、それにより、縁部ストリップ（７）が、前組み立てされたねじ（１７）を締め付けると、下降するねじ山付プレート（５）のサイドエッジ（１９）によって側方に外側に向かって押圧され、拡開フラップ（６）がこれにより穴縁部（２０）に固定的に支持されるようになるまで押し当てられることを特徴とする、支持体プレートの穴内に構成部分をアンカー固定するための固定クリップ。
【手続補正２】
【補正対象書類名】明細書
【補正対象項目名】０００３
【補正方法】変更
【補正の内容】
【０００３】
自動車の屋根天井にハンドグリップを盲固定する際に重要であることは、ハンドグリップが固定クリップにより最初に成形天井に前組み立てされ、その後に成形天井と共に完体で自動車ボディの上側のクロスビームに組み込まれることができる点にある。このために、公知の固定クリップはそれ程良好に適している訳ではない。それというのは、公知の固定クリップは金属板の穴内に直接固定するためだけに構想されており、材料の点で柔らかな成形天井の穴内に前もって前組み立てするために構想されている訳ではないからである。さらに、ねじは、拡開フラップを穴縁部に支持されるようになるまで引き寄せるために、比較的に多く回されなければならず、このことは工員にハンドグリップの組立時に相応に多大な時間を費やさせる。
アメリカ合衆国特許第３７８３９２２号明細書により公知の、冒頭で述べた形式の固定クリップの場合、ねじ山付プレートは別個の部分として形成されており、アンカー固定部分の両側壁の間で、檻状の保持器内に収容されるようになっていて、かつ摺動可能に案内されている。その際、拡開フラップはアンカー固定部分の側壁から打抜かれている。
このクリップの場合、拡開フラップは側壁に当付けストリップの上方で、折れ曲がって拡開可能な形で接続されている。さらに、拡開フラップの自由端部は外方に向かって屈曲されていて、クリップの、装入された状態で既に、保持プレートの穴縁部に背面から係合する。この固定クリップは実質的に拡張栓（アンカー）の原理に従って機能する。この固定クリップは、拡開フラップが予め、穴縁部に沿って通過するように押し合わされると、固定穴内に導入することができるに過ぎない。このように固定クリップを形成すると、支持体プレートにおける前組立は極めて煩わしいものとなってしまい、必然的に高い作業コストの原因となる。




【国際調査報告】
2005504933.tif 000015
2005504933.tif 000016
2005504933.tif 000017
2005504933.tif 000018